(57)【要約】【課題】昆虫を効率的に捕獲して餌とするような淡水魚の養殖方法を提供すること。【解決手段】養殖池の近辺に発光体を設け、発光体に誘引された昆虫を捕獲して餌とする。発光体の下方に補虫網を設け、前記発光体に誘引された昆虫を補虫網に向けて吸引する起風装置を備えることで、効率的に捕獲する。補虫網の下部に設けた昆虫取出孔から昆虫を養殖池に落下させて、昆虫を餌として養殖池に投入することを容易にする。若しくは、発光体を養殖池の水中に設けて、昆虫を養殖池に飛び込ませる。【選択図】図１
2013252066.tif 000002
【特許請求の範囲】
【請求項１】
養殖池の近辺に発光体を設け、前記発光体に誘引された昆虫を捕獲して餌とすることを特徴とする、淡水魚の養殖方法。
【請求項２】
前記発光体の近傍に補虫網を設け、前記発光体に誘引された昆虫を補虫網に向けて吸引する起風装置を備えることを特徴とする、請求項１に記載の淡水魚の養殖方法。
【請求項３】
前記補虫網が前記養殖池の上方に設けられ、
前記補虫網の下部に昆虫取出孔が設けられ、
前記昆虫取出孔から昆虫を養殖池に落下させることを特徴とする、請求項２に記載の淡水魚の養殖方法。
【請求項４】
前記発光体が前記養殖池の水中に設けられたものであることを特徴とする、請求項１に記載の淡水魚の養殖方法。
【請求項５】
前記淡水魚は、ヤマメ、イワナ又はハヤのいずれかであることを特徴とする、請求項１〜４のいずれか１項に記載の淡水魚の養殖方法。
【発明の詳細な説明】
【技術分野】
【０００１】
本発明は、淡水魚の養殖方法に関するものである。
【背景技術】
【０００２】
魚介類の養殖に当たっては、餌にかかる費用が問題となる。この観点から、特許文献１には、飼料効率を高める方法が開示されている。
ヤマメ、イワナ、ハヤ等の一部の淡水魚は、昆虫を餌とすることが知られている。そこで、餌となる昆虫を効率的に捕獲できれば、餌を極めて安価に入手することができ、経済効率の良い養殖方法が実現される。
しかし、昆虫を餌として用いる養殖方法は開示されていなかった。
【先行技術文献】
【特許文献】
【０００３】
【特許文献１】特開２００７−１５９５４０号公報
【発明の概要】
【発明が解決しようとする課題】
【０００４】
解決しようとする課題は、昆虫を効率的に捕獲して餌とするような淡水魚の養殖方法を提供することである。
【課題を解決するための手段】
【０００５】
本発明の淡水魚の養殖方法は、
養殖池の近辺に発光体を設け、前記発光体に誘引された昆虫を捕獲して餌とすることを特徴とする。
【０００６】
淡水魚は、山中の池などに生息している。養殖池を山中に設けることは、自然なことである。山中であれば餌となる昆虫も多くおり、発光体に誘引して捕獲し、十分な量の餌を得ることが可能である。
【０００７】
本発明の淡水魚の養殖方法は、
前記発光体の近傍に補虫網を設け、前記発光体に誘引された昆虫を補虫網に向けて吸引する起風装置を備えることを特徴とする。
【０００８】
餌となる昆虫を発光体によって誘引した後、自動的に捕獲することが好ましい。発光体に誘引された昆虫を補虫網に向けて吸引する捕虫器は広く知られており、本発明においても有効である。
【０００９】
本発明の淡水魚の養殖方法は、
前記補虫網が前記養殖池の上方に設けられ、
前記補虫網の下部に昆虫取出孔が設けられ、
前記昆虫取出孔から昆虫を養殖池に落下させることを特徴とする。
【００１０】
捕獲した昆虫を餌として養殖池に投入することも、効率的に行われることが好ましい。捕虫網の下部に設けられた昆虫取出孔から昆虫を養殖池に落下させることができれば、昆虫を容易に養殖池に投入することができる。
ここで、「昆虫取出孔」は、捕虫網の下部の金属製等の底部に空いた孔（手動で開閉できるものを含む。）であってもよく、捕虫網が上下に開いておりその下部をクリップ等で閉鎖し又は結んでおき、補虫後にその閉鎖又は結びを解いて昆虫を下方に落下させるものであってもよい。
なお、昆虫を確実に養殖池に落下させるためには、昆虫の飛行力を奪っておくことが好ましい。このために、捕虫網の中に長時間留めて昆虫を衰弱させる、電圧を加えて殺虫する捕虫器を利用する、その他の方法を用いることができる。
【００１１】
本発明の淡水魚の養殖方法は、
前記発光体が前記養殖池の水中に設けられたものであることを特徴とする。
【００１２】
発光体を養殖池の水中に設けることにより、誘引された昆虫は養殖池に飛び込むこととなる。捕獲及び養殖池への投入を行わなくとも、養殖する淡水魚に昆虫を餌として与えることができる。
【００１３】
本発明の淡水魚の養殖方法は、
前記淡水魚は、ヤマメ、イワナ又はハヤのいずれかであることを特徴とする。
【００１４】
ヤマメ、イワナ及びハヤは、昆虫を餌とすることが知られており、本発明の養殖方法に適している。
【発明の効果】
【００１５】
本発明の淡水魚の養殖方法は、昆虫を効率的に捕獲して餌とすることができる。
【図面の簡単な説明】
【００１６】
【図１】図１は、養殖池と捕虫器の配置を示す図である。（実施例１）
【図２】図２は、捕虫器を示す図である。（実施例１）
【図３】図３は、養殖池と発光体の配置を示す図である。（実施例２）
【発明を実施するための形態】
【００１７】
以下、捕虫器を用いる実施例１及び水中に発光体を設ける実施例２について説明する。
【実施例１】
【００１８】
図１は、養殖池と捕虫器の配置を示す図である。養殖池１の上部に捕虫器２が設けられており、捕虫器２によって捕獲された昆虫は、容易に養殖池１に投入される。
養殖池においては、ヤマメ、イワナ、ハヤ等の淡水魚を養殖することができる。捕虫器２によって捕獲される昆虫として、カ、ガ、カゲロウ、カメムシ等が淡水魚の餌となる。
【００１９】
図２は、捕虫器を示す図である。捕虫器２は円筒形状であり、昆虫が飛入するための開部を備えている。発光体３から発せられた光が開部から見え、正の走光性を持つ昆虫が発光体３に向かって、捕虫器２に飛入する。
飛入した昆虫は、起風装置４が起こす風によって補虫網５に捕獲される。補虫網５の下部はクリップ６によって止められており、昆虫は補虫網５の中に留め置かれる。クリップ６を開放することにより、補虫網５の下部に昆虫取出孔ができ、昆虫が養殖池１に落下する。
昆虫を落下させる際に飛行力を奪っておく必要がある場合には、殺虫用電極７から電圧を加えればよい。
【００２０】
昆虫の走光性を利用するので、夜間に捕獲される。養殖する魚に餌を与える時間が昼間である場合には、前夜に捕獲した昆虫を補虫網５の中に留め置けばよい。
【実施例２】
【００２１】
図３は、養殖池と発光体の配置を示す図である。養殖池１の底部に発光体８が設けられている、図においては２つの発光体８を示しているが、発光体８の数はいくつでもよい。
図において点線で示すように広い角度に向けて発光され、昆虫を誘引する。昆虫は養殖池に飛び込むこととなるので、捕獲及び養殖池への投入を行わなくとも、養殖する淡水魚に昆虫を餌として与えることができる。
【産業上の利用可能性】
【００２２】
昆虫を効率的に捕獲して餌とすることができる淡水魚の養殖方法であり、多くの養殖業者における利用が期待できる。
【符号の説明】
【００２３】
１  養殖池
２  捕虫器
３  発光体
４  起風装置
５  補虫網
６  クリップ
７  殺虫用電極
８  発光体
【図１】
2013252066.tif 000003
【図２】
2013252066.tif 000004
【図３】
2013252066.tif 000005